【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】  通信可能に結合される送信ノードと受信ノードを有する、ＡＤＳＬアネックスＣ方式の通信システムにおいてハイパーフレームの位置合わせを実行するハイパーフレーム位置合わせ方法であって、
前記ハイパーフレームの１以上の既知のＤＭＴシンボルの第１のセット中に、前記受信ノードで検出された時に、ＲＥＶＥＲＢ信号が送信機および受信機のＤＭＡシンボル境界とハイパーフレーム境界間のオフセットが識別されるように、少なくとも３つのトーンを含む第１の部分を有する前記ＲＥＶＥＲＢ信号を送信するステップと、前記ＲＥＶＥＲＢ信号は、２以上のＤＭＴシンボルに対して送信されるとＤＭＴシンボルごとに反復する、ＲＥＶＥＲＢトーンの上に４−ＱＡＭ変調された周期的な疑似ランダム２進シーケンス信号であり、
ハイパーフレームの１以上の既知のＤＭＴシンボルの後続のセット中に、前記受信ノードで検出された時に、前記ＲＥＶＥＲＢ信号がハイパーフレーム位置合わせの確認を可能にするように、前記ＲＥＶＥＲＢ信号を送信するステップと、
を含むハイパーフレーム位置合わせ方法。
【請求項２】  １以上の既知のＤＭＴシンボルから成る前記第１のセットは、第１のハイパーフレーム中に送信され、１以上の既知のＤＭＴシンボルから成る前記後続のセットは後続のハイパーフレーム中に送信される、請求項１記載のハイパーフレーム位置合わせ方法。
【請求項３】  １以上の既知のＤＭＴシンボルから成る前記第１と後続のセットは同一のハイパーフレーム中に送信される、請求項１に記載のハイパーフレーム位置合わせ方法。
【請求項４】  前記ハイパーフレームはシンボル０からシンボル３４４として識別されるＤＭＴシンボルを含み、前記第１と後続のセットの各々に対する前記１以上の既知のＤＭＴシンボルはＮ１からＮ２のＤＭＴシンボルを含み、Ｎ１からＮ２は前記３４５ＤＭＴシンボルのうちの２つである、請求項１記載のハイパーフレーム位置合わせ方法。
【請求項５】  前記ＲＥＶＥＲＢ信号はリンク初期化中にダウンストリームに送信される、請求項１記載のハイパーフレーム位置合わせ方法。
【請求項６】  遠隔ノードからハイパーフレームの位置合わせを確認する応答を受信することをさらに有する、請求項１記載のハイパーフレーム位置合わせ方法。
【請求項７】  通信可能に結合される送信ノードと受信ノードを有する、ＡＤＳＬアネックスＣ方式の通信システムにおいてハイパーフレームの位置合わせを実行するハイパーフレーム位置合わせ方法であって、
ハイパーフレームのデータを受信するステップと、
前記ハイパーフレームに含まれる１以上の既知のＤＭＴシンボルの第１のセット中に、少なくとも３つのトーンを含む第１の部分を有する第１のＲＥＶＥＲＢ信号を検出するステップを含み、前駆検出は、送信機および受信機のＤＭＡシンボル境界とハイパーフレーム境界間のオフセットを識別し、
ハイパーフレームに含まれる１以上の既知のＤＭＴシンボルの後続のセット中に、少なくとも３つのトーンを含む前記第１の部分を有する第２のＲＥＶＥＲＢ信号を検出するステップを含み、前記検出はハイパーフレーム位置合わせの確認を可能にし、
前記第１および第２のＲＥＶＥＲＢ信号は、２以上のＤＭＴシンボルに対して送信されるとＤＭＴシンボルごとに反復する、ＲＥＶＥＲＢトーンの上に４−ＱＡＭ変調された周期的な疑似ランダム２進シーケンス信号である、
ハイパーフレーム位置合わせ方法。
【請求項８】  １以上の既知のＤＭＴシンボルから成る前記第一のセットは第一のハイパーフレーム中に受信され、１以上の既知のＤＭＴシンボルから成る前記後続のセットは後続のハイパーフレーム中に受信される、請求項７記載のハイパーフレーム位置合わせ方法。
【請求項９】  １以上の既知のＤＭＴシンボルから成る前記第一と後続のセットは同一のハイパーフレーム中に受信される、請求項７記載のハイパーフレーム位置合わせ方法。
【請求項１０】  前記ハイパーフレームはシンボル０からシンボル３４４のＤＭＴシンボルを含み、前記第１と後続のセットの各々に対する前記１以上の既知のＤＭＴシンボルはＮ１からＮ２のＤＭＴシンボルを含み、Ｎ１からＮ２は前記３４５のＤＭＴシンボルのうちの２つである、請求項７記載のハイパーフレーム位置合わせ方法。
【請求項１１】  前記ハイパーフレームはシンボル０からシンボル３４４として識別される３４５のＤＭＴシンボルを含み、前記第１のセットに対する前記１以上の既知のＤＭＴシンボルはＮ１からＮ２のＤＭＴシンボルであり、前記後続のセットに対する前記１以上の既知のＤＭＴシンボルはＮ３からＮ４のＤＭＴシンボルであり、Ｎ１、Ｎ２、Ｎ３、Ｎ４は前記３４５のＤＭＴシンボルのうちの４つである、請求項７記載のハイパーフレーム位置合わせ方法。
【請求項１２】  前記ＲＥＶＥＲＢ信号はリンク初期化中にダウンストリームに送信される、請求項７記載のハイパーフレーム位置合わせ方法。
【請求項１３】  前記送信ノードにハイパーフレームの位置合わせを確認する応答を送信するステップをさらに有する、請求項７記載のハイパーフレーム位置合わせ方法。
【請求項１４】  通信可能に結合される送信ノードと受信ノードを有する、ＡＤＳＬアネックスＣ方式の通信システムにおいてハイパーフレームの位置合わせを実行するハイパーフレーム位置合わせ方法であって、
Ｎ個の連続するＲＥＶＥＲＢｘ〜ｙ信号を検出するまで、受信機サンプルに対し連続的に線形相互相関処理を実行するステップと、ＲＥＶＥＲＢｘ〜ｙ信号はＲＥＶＥＲＢ信号の連続するトーンｘからｙを含み、２以上のＤＭＴシンボルに対して送信されるとＤＭＴシンボルごとに反復する、前記ＲＥＶＥＲＢ信号はＲＥＶＥＲＢトーンの上に４−ＱＡＭ変調された周期的疑似ランダム２進シーケンス信号であり、
前記ＲＥＶＥＲＢｘ〜ｙ信号の相互相関信号ピークに基づき、送信機と受信機のフレーム境界のオフセットを識別するステップと、
前記送信機と受信機のフレーム境界のオフセットに基づきフレーム境界の位置合わせを実行するステップと、
前記ハイパーフレーム内の前記検出されたＲＥＶＥＲＢ信号の既知の位置に基づきハイパーフレーム位置合わせを実行するステップと、
を含むハイパーフレーム位置合わせ方法。
【請求項１５】  前記線形相互相関処理を反復して次のハイパーフレームにおける次のＮ個の連続するＲＥＶＥＲＢｘ〜ｙ信号を検出するステップと、
前記相互相関信号の既知のサンプルで相互相関ピークとなるときに前記次のＮ個の連続するＲＥＶＥＲＢｘ〜ｙ信号が検出されてハイパーフレームの位置合わせを示していることに応答して前記フレーム境界の位置合わせの確認をするステップと、
をさらに有する請求項１４記載のハイパーフレーム位置合わせ方法。
【請求項１６】  通信可能に結合される送信ノードと受信ノードを有する、ＡＤＳＬアネックスＣ方式の通信システムにおいてハイパーフレームの位置合わせを実行するハイパーフレーム位置合わせ装置であって、
出力されるハイパーフレームに含まれる１以上の既知ＤＭＴシンボルの期間中に送信され、前記受信ノードで検出された際、ＲＥＶＥＲＢ信号は送信機および受信機のＤＭＴシンボル境界とハイパーフレーム境界間のオフセットが識別されてハイパーフレーム位置合わせを可能とするように、少なくとも３つのトーンに含む第１の部分を有する第１のＲＥＶＥＲＢ信号を発生するように構成される信号発生モジュールと、
入力されるハイパーフレームに含まれる１以上の既知ＤＭＴシンボルの期間中に、前記第１の部分を有する第２のＲＥＶＥＲＢ信号を検出し、この検出により、送信機と受信機のＤＭＴシンボル境界間のオフセットが識別されてハイパーフレーム位置合わせを可能とするように構成される検出器モジュールと、を備え、
前記第１および第２のＲＥＶＥＲＢ信号は、２以上のＤＭＴシンボルに対して送信されるとＤＭＴシンボルごとに反復する、ＲＥＶＥＲＢトーンの上に４−ＱＡＭ変調された周期的な疑似ランダム２進シーケンス信号である、
ハイパーフレーム位置合わせ装置。
【請求項１７】  ハイパーフレーム位置合わせ装置は、さらに、第１のハイパーフレームの期間中に前記出力されるハイパーフレームに含まれる前記１以上の既知のＤＭＴシンボルを送信するとともに１以上の後続するハイパーフレームの期間中に再度送信するように構成される、請求項１６記載のハイパーフレーム位置合わせ装置。
【請求項１８】  ハイパーフレーム位置合わせ装置は、さらに、同一のハイパーフレームの期間中に前記出力されるハイパーフレームに含まれる前記１以上の既知のＤＭＴシンボルを送信するように構成される、請求項１６記載のハイパーフレーム位置合わせ装置。
【請求項１９】  ハイパーフレーム位置合わせ装置は、さらに、第１のハイパーフレームの期間中に前記入力されるハイパーフレームに含まれる前記１以上の既知のＤＭＴシンボルを受信するとともに１以上の後続するハイパーフレームの期間中に再度受信するように構成される、請求項１６記載のハイパーフレーム位置合わせ装置。
【請求項２０】  ハイパーフレーム位置合わせ装置は、さらに、リンク初期化中に前記出力するハイパーフレームのダウンストリームに関連する前記ＲＥＶＥＲＢ信号を送信するように構成される、請求項１６記載のハイパーフレーム位置合わせ装置。
【請求項２１】  ハイパーフレーム位置合わせ装置は、さらに、前記受信ノードからハイパーフレームの位置合わせを確認する応答を受信するように構成される、請求項１６記載のハイパーフレーム位置合わせ装置。